(57)【要約】      （修正有）【課題】  簡便な回路構成により本体内に充電した電力を用いて無線タグ情報を送出することが可能であり、且つ低コスト化を図ることが可能なアクティブ型無線タグを提供する。【解決手段】  携帯電話機から送出される送信電波の周波数帯域に同調して、交流電力を励起する受電アンテナ１２と、励起された交流電力を直流電力に整流する整流平滑回路２０，２１と、整流された直流電力により充電される充電デバイス２２と、充電された電力のノイズを除去するレギュレータ回路２４と、充電デバイス２２から供給される電力により駆動して、無線タグ情報を無線送信する無線タグ情報送信部１４とを備え、受電アンテナ１２によって受電して交流電力を励起すると、当該電力を充電デバイス２２に充電させて、無線タグ情報送信部１４を駆動させる。【選択図】      図３
2006270555.tif 000002
【特許請求の範囲】
【請求項１】
無線通信機器に取り付けられ、当該無線通信機器の送信アンテナから送出される送信電波の周波数帯域に同調して、前記送信電波を受電した場合に交流電力を励起する受電アンテナと、
前記受電アンテナにより励起された前記交流電力を直流電力に整流する整流平滑回路と、
前記整流平滑回路により整流された前記直流電力により充電される充電デバイスと、
前記充電デバイスに充電された電力のノイズを除去するレギュレータ回路と、
前記充電デバイスから供給される電力により駆動して、無線タグ情報を無線送信する無線タグ情報送信部と
を備えることを特徴とするアクティブ型無線タグ。
【請求項２】
前記整流平滑回路は、前記交流電力に含まれている前記無線通信機器の送信電波の基本周波数成分及び整数次周波数成分であって、当該交流電力を整流した直流電力に含まれる高周波成分を除去するような自己共振周波数とされたコンデンサを備えることを特徴とする請求項１に記載のアクティブ型無線タグ。
【請求項３】
前記充電デバイスに充電された電力の電圧を昇圧させる昇圧回路を更に備え、
前記レギュレータ回路は、前記昇圧回路の昇圧動作により発生したノイズ周波数範囲のノイズ信号を、コンデンサ及びレギュレータＩＣによって除去した電力を前記無線タグ情報送信部に供給すること
を特徴とする請求項１に記載のアクティブ型無線タグ。
【請求項４】
前記無線タグ情報送信部は、
所定の周波数のクロック信号を発振する発振回路と、
前記無線タグ情報を保持するメモリと、
前記メモリに保持された前記無線タグ情報に対して符号化処理を施す符号化回路と、
前記メモリに保持された無線タグ情報を読み出して、前記符号化回路に供給する制御部と、
前記発振回路により発振された前記クロック信号に基づいて搬送波を生成する逓倍回路と、
前記符号化回路により符号化された出力信号を所定の変調方式で変調して前記搬送波に重畳させて送出波を生成する変調回路と、
前記変調回路により生成された前記送出波を送出する送信アンテナとを備え、
前記送出波の送信アンテナから、少なくとも前記制御部及び前記メモリに混入する前記無線通信機器から送出された送信電波によるノイズを減衰させるフィルタを備えることを特徴とする請求項１に記載のアクティブ型無線タグ。
【請求項５】
前記受電アンテナ、整流平滑回路、充電デバイス、レギュレータ回路、無線タグ情報送信部が一体化されてケースに収容され、当該ケースが、前記無線通信機器の送信アンテナ先端に取り付けられてなることを特徴とする請求項１乃至請求項４の何れか一項に記載のアクティブ型無線タグ。
【請求項６】
前記受電アンテナ、整流平滑回路、充電デバイス、レギュレータ回路、無線タグ情報送信部が板状に一体化構造体となされており、当該一体化構造体が、前記無線通信機器の筐体に貼付されてなることを特徴とする請求項１乃至請求項４の何れか一項に記載のアクティブ型無線タグ。
【発明の詳細な説明】
【技術分野】
【０００１】
本発明は、内部に蓄積した電力によって物品や人物等の認識或いは識別を行うための識別符号等を無線信号として送出するアクティブ型無線タグであって、より具体的には、電力を蓄積する電源を搭載することにより無線伝搬距離の向上が図られたアクティブ型無線タグに関する。
【背景技術】
【０００２】
近年、物品や人物等の認識或いは識別を行うための無線タグ情報（識別符号）を無線送受信する無線タグ送受信システム、いわゆるＲＦＩＤ（Radio Frequency Identification）システムの普及が進められている。なお、ＲＦＩＤシステムは、ＩＤシステムやデータキャリアシステムと称される場合もある。
【０００３】
従来の無線タグ（以下、ＲＦＩＤと称する。）には、電力を供給する電池を内蔵しないパッシブ型ＲＦＩＤと、内蔵した電池により供給される電力により無線タグ情報を送出するアクティブ型ＲＦＩＤとに大別される。パッシブ型ＲＦＩＤは、ＲＦＩＤリーダ（情報読取装置）から送出された電波を受信し、受信した電波により励起された電力を利用して無線タグ情報を送出する。一方、アクティブ型ＲＦＩＤは、内蔵された電池によって電力が供給されるため、比較的大出力で無線タグ情報を送出することが可能とされており、パッシブ型ＲＦＩＤと比較して１０倍から２０倍程度の無線伝搬距離を有している。
【０００４】
アクティブ型ＲＦＩＤに内蔵される電池としては、１セルあたりの電圧が高く容量が大きなリチウム電池、電圧が経過時間に対して安定している酸化銀電池、安価で経済性に優れるアルカリ電池などが用いられる。また、これらの電池形状としては、ボタン型、コイン型、或いは棒型などが知られており、当該形状で内蔵される。
【０００５】
このようなアクティブ型ＲＦＩＤに内蔵された電池を充電させる技術としては、下記の特許文献１に記載されているように、周期的に所定期間に亘って電波送信状態におかれている汎用電波送信源としての携帯電話機からの送信電波をアクティブ型ＲＦＩＤで受信させて、当該送信電波を動作電源とすることが知られている。
【特許文献１】特開２００４−５４５１５号公報
【発明の開示】
【発明が解決しようとする課題】
【０００６】
ところで、上述のアクティブ型ＲＦＩＤは、電力の供給源として電池が利用されていることから、以下のような問題がある。
【０００７】
すなわち、内蔵電池としてリチウム電池を用いた場合、高容量で比較的長時間の動作に耐えうるという利点があるものの、電池の単価が高価であるので、電池交換に際して大きな出費が必要となってしまうといった問題がある。
【０００８】
また、内蔵電池として酸化銀電池やアルカリ電池を用いた場合、安定した動作を見込めるものの、比較的少容量であるので継続した利用を図るためには頻繁な電池交換作業が必要となってしまうといった問題がある。
【０００９】
そこで、電池交換に要する費用や作業を軽減する目的で、アクティブ型ＲＦＩＤの内蔵電池としてリチウムイオン電池やニッケル水素電池などの二次電池を用いることが提案されている。しかしながら、一般的な二次電池は、充放電サイクルが５００回程度しかないため、アクティブ型ＲＦＩＤを長期間に渡って駆動させるためには、電池交換に要する費用や作業の負担を避けることができない。
【００１０】
また、ＲＦＩＤは、その利用性質上、回収されずにいわゆる使い捨て用途に供されることが多く、またサイズが極めて小型であるために紛失される頻度・個数も多大であると考えられる。したがって、二次電池を内蔵電池として用いることは、環境保護の見地から考慮すると望ましいとは言い難いといった問題がある。
【００１１】
更に、内蔵電池として二次電池を用いる場合には、充電回路や充電用の外部端子を設ける必要が生じ、ＲＦＩＤの小型化・低コスト化を図ることが困難となる。また、ＲＦＩＤの利用性質上、比較的乱雑に扱われることが多いため、充電回路や外部端子を設けて構造が複雑となるに伴って損傷しやすくなり、堅牢性・信頼性が低下するといった問題がある。
【００１２】
更にまた、上述の特許文献１に記載されているように携帯電話機からの送信電波を利用してアクティブ型ＲＦＩＤを駆動させる場合には、一般的に携帯電話機から発信される電波は、８００ＭＨｚ〜数ＧＨｚという高周波を使用しているために高周波ノイズを多く含むという問題がある。すなわち、アクティブ型ＲＦＩＤ内部でのマイコン動作や変調処理に対して、携帯電話機の送信電波に含まれる高周波ノイズが悪影響を及ぼすことがあり、アクティブ型ＲＦＩＤとして送信電波が送信できない可能性がある。
【００１３】
また、携帯電話機の送信電波からの送信電波を利用してアクティブ型ＲＦＩＤを駆動させる場合には、携帯電話機のアンテナとアクティブ型ＲＦＩＤとが近接した距離に配設されることになり、携帯電話機から強電界の送信電波が発信されると、アクティブ型ＲＦＩＤのマイコン動作の誤動作や、アクティブ型ＲＦＩＤからの送信電波の歪みが発生する可能性がある。
【００１４】
そこで、本発明は、上述した従来の実情に鑑みて提案されるものであり、簡便な回路構成により本体内に充電した電力を用いて無線タグ情報を送出することが可能であり、且つ低コスト化を図ることが可能なアクティブ型無線タグを提供することを目的とする。
【００１５】
また、本発明の他の目的としては、無線通信機からの送信電波を使用してアクティブ型無線タグを動作させる場合であっても、安定して動作することができるアクティブ型無線タグを提供する。
【課題を解決するための手段】
【００１６】
本発明に係るアクティブ型無線タグは、上述の課題を解決するために、無線通信機器に取り付けられ、当該無線通信機器の送信アンテナから送出される送信電波の周波数帯域に同調して、前記送信電波を受電した場合に交流電力を励起する受電アンテナと、前記受電アンテナにより励起された前記交流電力を直流電力に整流する整流平滑回路と、前記整流平滑回路により整流された前記直流電力により充電される充電デバイスと、前記充電デバイスに充電された電力のノイズを除去するレギュレータ回路と、前記充電デバイスから供給される電力により駆動して、無線タグ情報を無線送信する無線タグ情報送信部とを備え、無線通信機器の送信電波を受電アンテナによって受電して交流電力を励起すると、当該電力を充電デバイスに充電させて、無線タグ情報送信部を駆動させる。
【発明の効果】
【００１７】
本発明に係るアクティブ型無線タグによれば、無線通信機器の送信電波を受電して交流電力を励起して、充電デバイスに充電させて、無線タグ情報送信部を駆動させることができるので、簡便な回路構成により本体内に充電した電力を用いて無線タグ情報を送出することが可能であり、且つ低コスト化を図ることが可能となる。また、このアクティブ型無線タグによれば、レギュレータ回路によってノイズを除去して無線タグ情報送信部に電力を供給するので、無線通信機器からの送信電波を使用して送信波を送出させる場合であっても、無線タグ情報送信部を安定して動作することができる。
【発明を実施するための最良の形態】
【００１８】
以下、本発明の実施の形態について図面を参照して説明する。
【００１９】
（第１の実施形態）
以下では、本発明を適用した第１実施形態として示すアクティブ型ＲＦＩＤ（無線タグ）１００について、図１乃至図３を参照しながら説明する。このアクティブ型ＲＦＩＤ１００は、図１に示すように、外部アンテナ５０１を備える携帯電話機（以下、携帯電話と称する。）５００に取り付けられて用いられる。そして、このアクティブ型ＲＦＩＤ１００は、携帯電話機５００で送受信される無線電波を受電して、蓄積することによって、自己の識別符号を含む無線タグ情報を無線送出できるアクティブ型の無線タグとして機能し、且つ、携帯電話機５００の送信電波が高周波であることによる影響を著しく低減させたものである。
【００２０】
このように、無線通信機として携帯電話機５００に取り付けられるアクティブ型ＲＦＩＤ１００は、図２に示すように、例えば樹脂材料により形成された本体ケース１０を有している。本体ケース１０の一端には、携帯電話機５００における外部アンテナ５０１の先端部５０１ａの外形状と同等の内壁形状を有する先端部挿入孔１１が形成されている。これにより先端部挿入孔１１は、外部アンテナ５０１の先端部５０１ａに対して着脱自在な構造を有している。アクティブ型ＲＦＩＤ１００は、図１に示すように、先端部挿入孔１１を外部アンテナ５０１の先端部５０１ａに嵌合・取付させることで携帯電話機５００に取り付けられて、携帯電話機５００で送受信される無線電波を受電できる状態となる。
【００２１】
なお、本実施形態においては、アクティブ型ＲＦＩＤ１００が先端部挿入孔１１を介して携帯電話機５００に対して着脱自在に用いられるものとするが、アクティブ型ＲＦＩＤ１００の用途に応じて、先端部挿入孔１１を外部アンテナ５０１の先端部５０１ａに対して着脱不能な構造とし、一度装着した後での取り外しを不能としてもよい。
【００２２】
アクティブ型ＲＦＩＤ１００は、図２及び図３に示すように、本体ケース１０内に、受電アンテナ１２と、電源回路１３と、無線タグ情報送出（ＲＦＩＤ）部１４とを備えて構成されている。
【００２３】
アクティブ型ＲＦＩＤ１００において本体ケース１０内に設けられる各部は、本体ケース１０内に収容されていれば収容形態は任意であるが、樹脂材料によって本体ケース１０がモールド成形されることにより、本体ケース１０内に収容されていることが望ましい。これにより、余剰な収容空間を排除し、アクティブ型ＲＦＩＤ１００の全体サイズを極限まで小型化することができる。なお、本体ケース１０の外形状は任意であるが、例えば、円筒形状、四角柱形状、或いはそれらの形状に類似した形状とすることができる。
【００２４】
受電アンテナ１２は、図２に示すように、先端部挿入孔１１の内形状に沿ってスパイラル状に形成されている。受電アンテナ１２は、携帯電話機５００の外部アンテナ５０１から送出される送信電波の周波数帯域に同調するよう設定されており、この送信電波を受信した場合に交流電力を励起する。受電アンテナ１２が共振する周波数帯域は、装着対象とする携帯電話機５００が送出する送信電波に応じて決定することができる。具体的には、例えば、受電アンテナ１２は、携帯電話機５００の送信電波の周波数が既知であれば、共振周波数が８００ＭＨｚ帯、１．５ＧＨｚ帯、１．９ＧＨｚ帯、２．１ＧＨｚ帯の何れかと共振するようになっていても良く、更には、これら複数の周波数帯に共振するようになっていればよい。
【００２５】
また、受電アンテナ１２は、携帯電話機５００の送信電波から交流電力を励起することができれば任意の種類及び形状とすることができる。本実施形態では、受電アンテナ１２がスパイラル状に形成されたヘリカルアンテナを用いるものとするが、受電アンテナ１２としては、例えば、ダイポールアンテナ、グランドプレーンアンテナ、マイクロストリップアンテナ、或いはスロットアンテナなどを用いるとしてもよく、また、アンテナ形状も任意である。ただし、受電アンテナ１２としてヘリカルアンテナを用いることにより、本体ケース１０内に収容するに好適な程度にサイズを小型化することができ、且つ携帯電話機５００の送信電波から効率よく交流電力を励起することができる。
【００２６】
電源回路１３は、無線タグ情報送出部１４を駆動する電力を供給するための電源としての機能を有する電子回路である。電源回路１３は、図３に示すように、受電アンテナ１２により励起された交流電力を直流電力に整流する整流回路２０と、整流回路２０により整流された直流電力を平滑化する平滑回路２１と、平滑回路２１により平滑化された直流電力により充電される充電デバイス２２と、充電デバイス２２から放電される直流電力を昇圧させる昇圧回路２３と、昇圧回路２３で昇圧させた出力を安定させて無線タグ情報送出部１４に供給するレギュレータ回路２４とを有している。
【００２７】
整流回路２０は、受電アンテナ１２に接続されており、受電アンテナ１２により励起された交流電力が供給されると、この交流電力を直流電力に整流して平滑回路２１に出力する。整流回路２０は、ショットキーバリアダイオードを整流素子として備えていることが望ましい。ショットキーバリアダイオードは、順方向電圧が低く低損失であるので、高い整流効率を得ることができ、受電アンテナ１２により励起（発生）する微小な電力を有効に取り出すことができる。
【００２８】
また、整流回路２０は、半波整流回路として構成されていてもよいし、ダイオードブリッジを用いた全波整流回路として構成されていてもよい。更に、整流回路２０は、倍電圧整流回路を用いて構成されていてもよい。
【００２９】
平滑回路２１は、主としてコンデンサを用いた回路構成とされており、整流回路２０により整流された直流電力に含まれる高周波成分を除去して平滑化して、充電デバイス２２に供給する。ここで、受電アンテナ１２で受電して得た電力には、携帯電話機５００から送信される送信電波に含まれる高周波成分が含まれており、平滑回路２１は、当該高周波成分をノイズとして除去する。
【００３０】
この平滑回路２１で使用する平滑化素子としてのコンデンサは、受電アンテナ１２で励起される交流電力が数百ＭＨｚから数ＧＨｚ程度に及ぶ高周波であるので、高周波特性が良好なセラミックコンデンサを用いることが望ましい。更に、平滑回路２１は、その自己共振周波数と、高周波成分の基本無線周波数及びその整数次高周波周波数とが一致したセラミックコンデンサを並列に挿入することが望ましい。これにより、高周波ノイズに起因するリプル成分を、セラミックコンデンサによって効率良く吸収させることができる。
【００３１】
なお、図３においては、整流回路２０と平滑回路２１とを別々に図示しているが、受電アンテナ１２により励起された交流電力を直流電力に整流して充電デバイス２２に供給することができれば、任意の回路構成とすることができ、例えば整流回路２０と平滑回路２１とを統合した整流平滑回路として構成してもよい。
【００３２】
充電デバイス２２は、平滑回路２１から平滑化されて出力された直流電力が供給され、この直流電力によって充電（蓄電）される素子である。充電デバイス２２として用いる素子は、電気二重層コンデンサが望ましい。電気二重層コンデンサには二次電池で発生するメモリー効果が生じないので、充電デバイス２２として電気二重層コンデンサを用いることにより、充放電回数に制約がなくなる。また、これにより、二次電池を用いた場合に必要となる電池交換に際しての費用や作業を不要とすることができ、簡便且つ低コストなアクティブ型ＲＦＩＤ１００を実現することができる。
【００３３】
なお、この電気二重層コンデンサの容量を大きくすると、より多くの電力が蓄電可能となり、一度の充電でアクティブ型ＲＦＩＤ１００の長期間動作が可能となる一方で、寸法が大きくなることや充電に必要な時間が長くなる。また、電気二重層コンデンサの容量を小さくすると、短時間での充電が可能となり寸法も小型化できる一方で、アクティブ型ＲＦＩＤ１００の長期間動作ができなくなり充電回数が多くなる。したがって、携帯電話機５００の送信電波の電界強度及び周期、一度の充電完了後のアクティブ型ＲＦＩＤ１００の動作可能時間、寸法の兼ね合いによって、好ましい容量に電気二重層コンデンサの容量を設定する必要がある。
【００３４】
昇圧回路２３は、充電デバイス２２から無線タグ情報送出部１４に供給する直流電力の電圧を昇圧させるＤＣ／ＤＣコンバータからなる。この昇圧回路２３は、充電デバイス２２の直流電圧が１Ｖ程度であるために、２．５Ｖ〜３Ｖ程度まで昇圧させる。なお、この昇圧回路２３を構成するＤＣ／ＤＣコンバータの変換効率としては、８５％〜９０％程度の高効率なものを使用することが望ましい。
【００３５】
レギュレータ回路２４は、昇圧回路２３からの出力電圧をノイズのない一定電圧にして無線タグ情報送出部１４に供給する回路である。このレギュレータ回路２４は、昇圧回路２３を構成するＤＣ／ＤＣコンバータのスイッチングノイズを除去するための構成として、ノイズ除去用コンデンサとレギュレータＩＣとを有する。このＤＣ／ＤＣコンバータのノイズは、通常、数１０ｋＨｚ〜数１００ＫＨｚであり、当該周波数帯のノイズがノイズ除去用コンデンサ及びレギュレータＩＣの双方で除去される。
【００３６】
ノイズ除去用コンデンサは、ＤＣ／ＤＣコンバータのスイッチングノイズの周波数範囲で十分に低いインピーダンスが得られる大容量のものを使用することが望ましい。また、レギュレータＩＣは、ノイズ除去用コンデンサと同様に、スイッチングノイズの周波数範囲内でより大きなリプル成分の除去比を有し、入出力電圧差が小さい低損失型のものを使用することが望ましい。
【００３７】
無線タグ情報送出部１４は、図３に示すように、発振回路３０と、メモリ３１と、制御部３２と、符号化回路３３と、逓倍回路３４と、変調回路３５と、フィルタ３６と、送信アンテナ３７とを備えている。
【００３８】
発振回路３０は、所定周波数のクロック信号を生成して、無線タグ情報送出部１４を構成する各部に供給する。無線タグ情報送出部１４の各部は、発振回路３０で生成されたクロック信号を動作の基準として動作する。発振回路３０の具体的な回路構成は任意であるが、例えば、ＣＲ発振回路、水晶発振回路、セラミック共振子発振回路、ＳＡＷ共振子発振回路等を使用し、更には、当該何れかの発振回路とＰＬＬ発振回路とを組み合わせて構成することもできる。
【００３９】
メモリ３１には、アクティブ型ＲＦＩＤ１００が送出する無線タグ情報（ＩＤデータ）が保持されている。アクティブ型ＲＦＩＤ１００においては、電源回路１３からの電力供給が途絶えた場合であってもメモリ３１によって無線タグ情報を保持しておく必要があるため、各種の不揮発性半導体記憶素子を用いてメモリ３１を構成することが望ましい。
【００４０】
制御部３２は、無線タグ情報送出部１４における各部の動作を制御する機能を有している。具体的には、制御部３２による制御により、メモリ３１に保持された無線タグ情報が読み出され、読み出された無線タグ情報が符号化回路３３に入力される。制御部３２は、例えば、安価且つ小型で低消費電力な８ビットマイコンなどを用いることで実現することが望ましい。
【００４１】
符号化回路３３は、制御部３２によってメモリ３１から読み出された無線タグ情報が入力され、入力された無線タグ情報に対してエラー訂正のための符号化処理を施す。なお、図３においては、制御部３２及び符号化回路３３を別体として図示しているが、これら各部の機能を単体のマイコンなどによって実現するとしてもよい。更に、例えばフラッシュＲＯＭなどの記憶素子を備えるマイコンを用いる場合には、制御部３２、符号化回路３３、及びメモリ３１の機能を単体のマイコンによって実現するとしてもよい。
【００４２】
逓倍回路３４は、発振回路３０によって生成されたクロック信号に基づいて所定周波数の搬送波を生成し、変調回路３５に入力する回路である。なお、アクティブ型ＲＦＩＤ１００においては、局部発振回路を用いて搬送波を生成し、変調回路３５に入力するとしてもよい。変調回路３５は、符号化回路３３により符号化された出力信号を所定の変調方式で変調することにより、エラー訂正処理が施された無線タグ信号と、逓倍回路３４から入力された搬送波とを重畳することで送出波を生成する回路である。
【００４３】
送信アンテナ３７は、変調回路３５により生成され、フィルタ３６を介して供給された送出波を外部に送出するアンテナである。送信アンテナ３７の種類及び形状は任意であるが、例えば、マイクロストリップアンテナ、或いはスロットアンテナなどの平面アンテナ、微小ループアンテナを用いることにより、アンテナの小型化を図ることができる。
【００４４】
フィルタ３６は、送信アンテナ３７から各部３０〜３５に混入するノイズを減衰させるフィルタである。ここで、図１及び図２を参照して説明したように、無線タグ情報送出部１４が携帯電話機５００の外部アンテナ５０１近傍に配設される構成となっているために、携帯電話機５００から出力される送信電波がアクティブ型ＲＦＩＤ１００から出力する送信電波よりも強電界であり、無線タグ情報送出部１４の動作に大きな影響を与える可能性がある。特に、電源回路１３や無線タグ情報送出部１４の誤動作を誘発する恐れや、変調回路３５から出力される送出波の歪みを起こす可能性がある。これに対し、アクティブ型ＲＦＩＤ１００は、送信アンテナ３７から変調回路３５，メモリ３１，制御部３２に対して混入する携帯電話機５００の送信電波の電力を大きく減衰させるために、フィルタ３６を設ける。このフィルタ３６としては、例えば小型で大きな減衰比を有するＳＡＷフィルタが使用可能である。
【００４５】
また、無線タグ情報送出部１４に対する携帯電話機５００からの送信電波の影響を低減するためには、受電アンテナ１２及び送信アンテナ３７を除いた部分を導体で遮蔽することが望ましい。この遮蔽物としては、例えば、表皮効果を考慮して、厚みが数マイクロメートルの銅箔又はアルミニウム箔で構成することができる。このような導体遮蔽とフィルタ３６とのノイズ減衰作用により、更に変調回路３５，メモリ３１，制御部３２の誤動作や送信波の歪みを抑制することができる。
【００４６】
このように構成されたアクティブ型ＲＦＩＤ１００によれば、通信装置から送出される送信電波によって励起された電力を充電デバイスに充電し、この充電デバイスに充電された電力を用いて無線タグ情報を無線送信することができる。したがって、例えば二次電池を電源として用いて構成された従来のアクティブ型無線タグと比較して、二次電池充電用の複雑な充電回路や外部端子を設けることが不要となり、本体内に充電した電力を用いて無線タグ情報を送出するアクティブ型無線タグ（アクティブ型ＲＦＩＤ）を簡便な回路構成によって実現し、低コスト化を図ることができる。また、回路構成や装置構造を簡略化することができるので、乱雑に扱われた場合であっても損傷が生じる虞が少なく、堅牢性・信頼性を向上させることができる。
【００４７】
また、このアクティブ型ＲＦＩＤ１００によれば、上述したように高周波ノイズを除去する平滑回路２１や、昇圧回路２３のスイッチングノイズを除去するレギュレータ回路２４、送信アンテナ３７から混入する高周波ノイズを減衰させるフィルタ３６を備えたので、携帯電話機５００近傍に備えられた場合であっても、高周波ノイズの影響なく安定して無線タグ情報を送出することができ、アクティブ型ＲＦＩＤ１００としての信頼性を維持することができる。
【００４８】
（第２の実施形態）
つぎに、以下では、本発明を適用した第２実施形態として示すアクティブ型ＲＦＩＤ２００について、図４及び図５を参照しながら説明する。
【００４９】
このアクティブ型ＲＦＩＤ２００は、図４に示すように、アンテナを本体に内蔵したアンテナ内蔵型携帯電話機６００に取り付けられて用いられる。なお、以下の説明においては、上述した第１の実施形態と同一又は同等の部位・部材については同一の符号を付し、詳細な説明を割愛することとする。
【００５０】
アンテナ内蔵型携帯電話機６００は、無線通信を行うための送信アンテナが外部に設けられておらず、アクティブ型ＲＦＩＤ２００が貼付されている。このアクティブ型ＲＦＩＤ２００は、アンテナ内蔵型携帯電話機６００のアンテナが内蔵されている筐体面に貼付されていることが望ましい。
【００５１】
アクティブ型ＲＦＩＤ２００の内部構成は、上述したアクティブ型ＲＦＩＤ１００と同等の機能を有しており、同等の作用及び効果を奏する構成とされているが、図５に示すように、受電アンテナ１２、電源回路１３及び無線タグ情報送出部１４を満たすように樹脂でモールドして、板状の一体構造体となっている。このアクティブ型ＲＦＩＤ２００の受電アンテナ１２は、例えば、マイクロストリップアンテナ又はスロットアンテナ等の平面アンテナで構成し、受電アンテナ１２、電源回路１３及び無線タグ情報送出部１４を同一の回路基板上に成形して構成される。
【００５２】
このような第２実施形態に係るアクティブ型ＲＦＩＤ２００であっても、上述したアクティブ型ＲＦＩＤ１００と同様に、アンテナ内蔵型携帯電話機６００の送信電波を受電して充電デバイス２２を充電して無線タグ情報を送出できると共に、高周波ノイズの影響なく安定して無線タグ情報を送出できる。
【００５３】
なお、上述の実施の形態は本発明の一例である。このため、本発明は、上述の実施形態に限定されることはなく、この実施の形態以外であっても、本発明に係る技術的思想を逸脱しない範囲であれば、設計等に応じて種々の変更が可能であることは勿論である。
【００５４】
すなわち、以上で説明した第１及び第２の実施形態においては、アクティブ型ＲＦＩＤ１００，２００を携帯電話機５００，６００からの送信電波を利用して電力を生成するものとしたが、本発明は、このようなアクティブ型無線タグへの適用に限定されるものではなく、無線通信を行う任意の通信装置から送出される送信電波を利用して無線タグ情報送出部１４を駆動するための電力を生成・蓄電するアクティブ型無線タグに対して広くて適用することができる。
【図面の簡単な説明】
【００５５】
【図１】本発明を適用した第１実施形態に係るアクティブ型ＲＦＩＤを、携帯電話機の外部アンテナに取り付けた状態を示す斜視図である。
【図２】本発明を適用した第１実施形態に係るアクティブ型ＲＦＩＤの内部構成を示す図である。
【図３】本発明を適用したアクティブ型ＲＦＩＤの電気的な構成を示すブロック図である。
【図４】本発明を適用した第２実施形態に係るアクティブ型ＲＦＩＤを、アンテナ内蔵型携帯電話機に貼付させた状態を示す斜視図である。
【図５】本発明を適用した第２実施形態に係るアクティブ型ＲＦＩＤの内部構成を示す図である。
【符号の説明】
【００５６】
１０  本体ケース
１１  先端部挿入孔
１２  受電アンテナ
１３  電源回路
１４  無線タグ情報送出部
２０  整流回路
２１  平滑回路
２２  充電デバイス
２３  昇圧回路
２４  レギュレータ回路
３０  発振回路
３１  メモリ
３２  制御部
３３  符号化回路
３４  逓倍回路
３５  変調回路
３６  フィルタ
３７  送信アンテナ
１００，２００  アクティブ型ＲＦＩＤ
５００  携帯電話機
６００  アンテナ内蔵型携帯電話機
【図１】
2006270555.tif 000003
【図２】
2006270555.tif 000004
【図３】
2006270555.tif 000005
【図４】
2006270555.tif 000006
【図５】
2006270555.tif 000007